(57)【要約】【課題】自動販売機等のように物品の収納庫で半密閉空間内部へ漏れた可燃性冷媒へ引火しないように安全性を高める。【解決手段】加温ヒータ８に通電中に、自動販売機の電気的な故障等により、ファン４が停止した場合、加温ヒータ８への送風が停止するため、加温装置６の表面温度は上昇していき、冷却装置３から可燃性冷媒が収納室１に漏れて、収納室１が可燃性冷媒の燃焼範囲濃度に達した場合においても、加温装置６は放熱用のプレートフィン７を有しているため加温装置６が着火源となって冷媒が発火することなく安全に運転を行える。【選択図】　図１
2004038732.tif 000002
【特許請求の範囲】
【請求項１】
断熱構造の商品を収納する収納室内に冷却装置および加温装置、ファンを備え、商品を冷却および加温し販売する自動販売機において、収納室内に商品を収納する収納棚と、前記収納棚下部に前記収納棚を冷却可能に配置されプレートフィンに冷媒配管を挿入し構成された可燃性冷媒を含む混合冷媒あるいは単一冷媒からなる可燃性冷媒を封入した前記冷却装置と、他のプレートフィンに加温ヒータを挿入し構成される前記加温装置と、前記収納室の空気を循環することで冷却または加温する前記ファンとからなり、冷却装置より上部に加温装置を配置したことを特徴とする自動販売機の冷却加温装置。
【請求項２】
断熱構造の商品を収納する収納室内に冷却装置および加温装置、ファンを備え、商品を冷却および加温し販売する自動販売機において、収納室内に商品を収納する収納棚と、前記収納棚下部に前記収納棚を冷却可能に配置されプレートフィンに冷媒配管を挿入し構成された可燃性冷媒を含む混合冷媒あるいは単一冷媒からなる可燃性冷媒を封入した前記冷却装置と、他のプレートフィンにサーペンタイン状に曲げ加工した加温ヒータを挿入し構成される前記加温装置と、前記収納室の空気を循環することで冷却または加温する前記ファンとからなる自動販売機の冷却加温装置。
【請求項３】
冷却装置より上部に加温装置を配置したことを特徴とする請求項２記載の自動販売機の冷却加温装置。
【請求項４】
前記収納室内の背面あるいは側面に前記ファンの室内対流を促進するダクトと、前記ダクトの内部に加温装置を収納したことを特徴とする請求項１から請求項３のいずれか一項に記載の自動販売機の冷却加温装置。
【請求項５】
断熱構造の商品を収納する収納室内に冷却装置および加温装置、ファンを備え、商品を冷却および加温し販売する自動販売機において、収納室内に商品を収納する収納棚と、前記収納棚下部に前記収納棚を冷却可能に配置されプレートフィンに冷媒配管を挿入し構成された可燃性冷媒を含む混合冷媒あるいは単一冷媒からなる可燃性冷媒を封入した前記冷却装置と、他のプレートフィンにサーペンタイン状に曲げ加工した加温ヒータを挿入し構成される前記加温装置と、前記収納室の空気を循環することで冷却または加温する前記ファンとからなり、室内対流の方向に対し前記冷却装置、前記ファン、前記加温装置の順に配置されたことを特徴とする自動販売機の冷却加温装置。
【請求項６】
断熱構造の商品を収納する収納室内に冷却装置および加温装置、ファンを備え、商品を冷却および加温し販売する自動販売機において、収納室内に商品を収納する収納棚と、前記収納棚下部に前記収納棚を冷却可能に配置されプレートフィンに冷媒配管を挿入し構成された可燃性冷媒を含む混合冷媒あるいは単一冷媒からなる可燃性冷媒を封入した前記冷却装置と、前記冷却装置の前記プレートフィンの一部に加温ヒータを挿入し構成される前記加温装置と、前記収納室の空気を循環することで冷却または加温する前記ファンとからなる自動販売機の冷却加温装置。
【請求項７】
断熱構造の商品を収納する収納室内に冷却装置および加温装置、ファンを備え、商品を冷却および加温し販売する自動販売機において、収納室内に商品を収納する収納棚と、前記収納棚下部に前記収納棚を冷却可能に配置されプレートフィンに冷媒配管を挿入し構成された可燃性冷媒を含む混合冷媒あるいは単一冷媒からなる可燃性冷媒を封入した前記冷却装置と、前記冷却装置の前記プレートフィンの一部にサーペンタイン状に曲げ加工した加温ヒータを挿入し構成される前記加温装置と、前記収納室の空気を循環することで冷却または加温する前記ファンとからなる自動販売機の冷却加温装置。
【請求項８】
前記冷却装置のデフロスト時に前記加温装置の通電を行う制御部とからなる請求項６または請求項７に記載の自動販売機の冷却加温装置。
【請求項９】
加温装置を金属製のメッシュ部材で覆った構成とした請求項１から請求項８のいずれか１項に記載の自動販売機の冷却加温装置。
【発明の詳細な説明】
【０００１】
【発明の属する技術分野】
本発明は、可燃性冷媒を使用した冷却加温装置を用いた自動販売機に関するものである。
【０００２】
【従来の技術】
近年、地球のオゾン層を保護する観点から、冷却装置の冷凍サイクルに使用されていた冷媒ＣＦＣ（クロロフルオロカーボン）−１２あるいはＨＣＦＣ（ハイドロクロロフルオロカーボン）−２２といった塩素原子を含んだ冷媒の使用が規制され、塩素原子を含まず、オゾン層を破壊しないＨＦＣ（ハイドロフルオロカーボン）冷媒への転換が進行している。
【０００３】
また、従来、主にＨＦＣ−２２冷媒を用いていた自動販売機においては、その代替冷媒としてＨＦＣ冷媒の混合冷媒であるＲ４０７Ｃが採用され販売されている。
【０００４】
【発明が解決しようとする課題】
しかしながら、従来用いられているＲ４０７ＣなどのＨＦＣ冷媒は、オゾン層破壊はないものの、地球温暖化係数が高いため、地球温暖化に対しては不十分な冷媒となり、そのため地球温暖化係数の低い冷媒として、ＨＦＣ冷媒に代わってＨＣ（ハイドロカーボン）冷媒が注目されている。
【０００５】
一方、ＨＣ系冷媒は可燃性を有しているため、冷却加温装置における冷凍サイクルの冷媒として使用する場合には可燃性冷媒の漏れに注意を払わなければならず、特に自動販売機等のように物品の収納庫で半密閉空間内部へ漏れた可燃性冷媒へ引火しないように安全性を高める必要がある。
【０００６】
また、従来の自動販売機の冷却加温装置は、特開昭５７−５２９８８、実開昭６２−７５５７８に示されるように、自動販売機の庫内の下部に冷却器、ヒータ、ファンモータを配置し、加温時はヒータに通電し、加熱された空気をファンモータにて庫内を循環させて、庫内に収納された商品を加温する方法が一般的である。
【０００７】
しかし、上記従来例で述べたような加温装置では、加温用のヒータ（通常パイプヒータ等を使用）の表面温度は８００℃に達するために、可燃性冷媒が漏れた場合に、着火温度を超えるために、安全性に問題があった。
【０００８】
また、自動販売機においては冷媒の入手が容易であり、能力的なことよりＲ６００（イソブタン）やＲ２９０（プロパン）の採用が行われようとしている。
【０００９】
本発明は、上記従来の課題を解決するもので、冷凍サイクルの冷媒として可燃性冷媒を使用しても冷却と加温を安全に行える自動販売機の冷却加温装置を提供することを目的とする。
【００１０】
【課題を解決するための手段】
上記目的を達成するために本発明の請求項１に記載の自動販売機の冷却加温装置の発明は、収納室内に商品を収納する収納棚と、前記収納棚下部に前記収納棚を冷却可能に配置されプレートフィンに冷媒配管を挿入し構成された可燃性冷媒を含む混合冷媒あるいは単一冷媒からなる可燃性冷媒を封入した前記冷却装置と、プレートフィンに加温ヒータを挿入し構成される前記加温装置と、前記収納室の空気を循環することで冷却または加温する前記ファンとからなり、冷却装置より上部に加温装置を配置したものであり、冷却加温装置の運転異常時などにおいて、ファンによる送風が停止し、加温装置が通電されているような場合においても、放熱効果により加温装置の表面温度が過度に上昇することはなくなる上に前記冷却装置より可燃性冷媒が漏洩した場合にもＲ６００、Ｒ２９０は空気より重いため収納室内の下部に溜まり、発火要因である前記加温装置に到達せず発火する可能性はさらに極めて低くなるという作用を有する。
【００１１】
また、請求項２に記載の自動販売機の冷却加温装置の発明は、収納室内に商品を収納する収納棚と、前記収納棚下部に前記収納棚を冷却可能に配置されプレートフィンに冷媒配管を挿入し構成された可燃性冷媒を含む混合冷媒あるいは単一冷媒からなる可燃性冷媒を封入した冷却装置と、プレートフィンにサーペンタイン状に曲げ加工した加温ヒータを挿入し構成される加温装置と、前記収納棚を温度のバラツキなく冷却または加温するファンとからなり、前記加温装置は放熱用のプレートフィンを有したものであり、このプレートフィンにサーペンタイン状に曲げ加工した加温ヒータを挿入し構成されることで、加温装置が小型化でき、熱効率が良くなることで、冷却加温装置の運転異常時などにおいて、ファンによる送風が停止し、加温装置が通電されているような場合においても、放熱効果により加温装置の表面温度が過度に上昇することはなく、可燃性冷媒が漏洩した場合にも発火する可能性は極めて低くなるという作用を有する。
【００１２】
また、請求項３に記載の自動販売機の冷却加温装置の発明は、請求項１または請求項２に記載の発明に、冷却装置より上部に配置されプレートフィンにサーペンタイン状に曲げ加工した加温ヒータを挿入し構成される加温装置とからなり、前記加温装置を前記冷却装置より上部に配置したものであり、冷却加温装置の運転異常時などにおいて、ファンによる送風が停止し、加温装置が通電されているような場合においても、放熱効果により加温装置の表面温度が過度に上昇することはなくなる上に前記冷却装置より可燃性冷媒が漏洩した場合にもＲ６００、Ｒ２９０は空気より重いため収納室内の下部に溜まり、発火要因である前記加温装置に到達せず発火する可能性はさらに極めて低くなるという作用を有する。
【００１３】
また、請求項４に記載の自動販売機の冷却加温装置の発明は、請求項１から請求項３のいずれか１項に記載の発明において、前記収納室内の背面あるいは側面に前記ファンの室内対流を促進するダクトと、前記ダクトの内部に収納されプレートフィンにサーペンタイン状に曲げ加工した加温ヒータを挿入し構成される加温装置とからなり、前記加温装置をダクトに収納することにより、冷却加温装置の運転異常時などにおいて、ファンによる送風が停止し、加温装置が通電されているような場合においても、放熱効果により加温装置の表面温度が過度に上昇することはなくなる上に前記冷却装置より可燃性冷媒が漏洩した場合にもＲ６００、Ｒ２９０は空気より重いため収納室内の下部に溜まり、発火要因である前記加温装置に到達せず発火する可能性は極めて低くなるとともに、ダクト内を有効活用することにより収納効果を上げるという作用を有する。
【００１４】
また、請求項５に記載の自動販売機の冷却加温装置の発明は、収納室内に商品を収納する収納棚と、前記収納棚下部に前記収納棚を冷却可能に配置されプレートフィンに冷媒配管を挿入し構成された可燃性冷媒を含む混合冷媒あるいは単一冷媒からなる可燃性冷媒を封入した冷却装置と、プレートフィンにサーペンタイン状に曲げ加工した加温ヒータを挿入し構成される加温装置と、前記収納棚を温度のバラツキなく冷却または加温するファンとからなり、室内対流の方向に対し前記冷却装置、前記ファン、前記加温装置の順に配置された構成からなり、前記加温装置を室内対流の方向に対して前記ファンの後に配置し、前記加温装置の熱の影響を直接ファンに与えなくしたものであり、ファンの寿命を長くできるとともに、冷却加温装置の運転異常時などにおいて、ファンによる送風が停止し、加温装置が通電されているような場合においても、放熱効果により加温装置の表面温度が過度に上昇することはなく、可燃性冷媒が漏洩した場合にも発火する可能性は極めて低くなるという作用を有する。
【００１５】
また、請求項６に記載の自動販売機の冷却加温装置の発明は、収納室内に商品を収納する収納棚と、前記収納棚下部に前記収納棚を冷却可能に配置されプレートフィンに冷媒配管を挿入し構成された可燃性冷媒を含む混合冷媒あるいは単一冷媒からなる可燃性冷媒を封入した前記冷却装置と、前記冷却装置のプレートフィンの一部に加温ヒータを挿入し構成される前記加温装置と、前記収納室の空気を循環することで冷却または加温する前記ファンとからなるものであり、前記加温装置を同一のプレートフィンにて前記冷却装置と一体にしたものであり、冷却運転時には加温装置のプレートフィンを放熱板として有効活用でき、加温運転時には冷却装置のプレートフィンを有効活用できるとともに、冷却加温装置の運転異常時などにおいて、ファンによる送風が停止し、加温装置が通電されているような場合においても、冷却加温のプレートフィンの放熱効果により加温装置の表面温度が過度に上昇することはなく、可燃性冷媒が漏洩した場合にも発火する可能性は極めて低くなるという作用を有する。
【００１６】
また、請求項７に記載の自動販売機の冷却加温装置の発明は、収納室内に商品を収納する収納棚と、前記収納棚下部に前記収納棚を冷却可能に配置されプレートフィンに冷媒配管を挿入し構成された可燃性冷媒を含む混合冷媒あるいは単一冷媒からなる可燃性冷媒を封入した冷却装置と、前記冷却装置のプレートフィンの一部にサーペンタイン状に曲げ加工した加温ヒータを挿入し構成される加温装置と、前記収納棚を温度のバラツキなく冷却または加温するファンとからなり、前記加温装置を同一のプレートフィンにて前記冷却装置と一体にしたものであり、かつこのプレートフィンにサーペンタイン状に曲げ加工した加温ヒータを挿入し構成されることで、加温装置が小型化でき、熱効率が良くなることで、冷却運転時には加温装置のプレートフィンを放熱板として有効活用でき、加温運転時には冷却装置のプレートフィンを有効活用できるとともに、冷却加温装置の運転異常時などにおいて、ファンによる送風が停止し、加温装置が通電されているような場合においても、冷却加温のプレートフィンの放熱効果により加温装置の表面温度が過度に上昇することはなく、可燃性冷媒が漏洩した場合にも発火する可能性は極めて低くなるという作用を有する。
【００１７】
また、請求項８に記載の自動販売機の冷却加温装置の発明は、請求項７に記載の発明に、前記冷却装置のデフロスト時に前記加温装置の通電を行う制御部とからなり、前記加温装置を冷却運転時のデフロスト時に通電を行うようにしたものであり、可燃性冷媒が漏洩した場合にも発火する可能性は極めて低くなるとともに、デフロストを早く確実に行うことができるという作用を有する。
【００１８】
また、請求項９に記載の自動販売機の冷却加温装置の発明は、請求項１から請求項８のいずれか１項に記載の発明において、前記加温装置を金属製のメッシュ部材で覆った構成を備えたものであり、金属製のメッシュ部材により前記冷却装置から可燃性冷媒が大量に漏洩した場合に発火しても外部に火炎伝播するのを防止し、外部発火を防止するという作用を有する。
【００１９】
【発明の実施の形態】
以下、本発明による自動販売機の冷却加温装置の実施の形態について、図面を参照しながら説明する。
【００２０】
（実施の形態１）
図１は、本発明の実施の形態１による自動販売機の冷却加温装置の側面図である。図２は同実施の形態の加温装置の詳細図である。
【００２１】
図１、図２において１は断熱性のよい収納室である。２は販売される商品を冷却または加温保存する収納棚である。３は収納室１の下部に収納棚２を冷却可能に配置され、プレートフィンに冷媒配管を挿入し構成された可燃性冷媒Ｒ６００またはＲ２９０を含む混合冷媒あるいは単一冷媒からなる可燃性冷媒を封入した冷却装置である。４は収納棚２に収納されている商品を温度のバラツキなく冷却または加温する庫内空気を循環させるファンである。５は収納棚２の背面に配置され、ファン４の室内対流を促進させるダクトである。６は放熱用のプレートフィン７にサーペンタイン状に曲げ加工した加温ヒータ８を挿入し構成される加温装置である。
【００２２】
以上のように構成された自動販売機の冷却加温装置についてその動作を説明する。
【００２３】
収納棚２に収納された商品を冷却する場合、冷却装置３の冷却運転を行い、ファン４により冷却装置３で冷却された冷気を循環させる。ファン４により循環された冷気は収納棚２に収納された商品を冷却し、ダクト５を通り再度冷却装置３へ戻り冷却を繰り返す。
【００２４】
収納棚２に収納された商品を加温する場合、加温ヒータ８に通電を行い、放熱用プレートフィン７にて放熱を行う加温装置６が加温運転を行う。ファン４により加温装置６で加温された暖気を循環させる。ファン４により循環された暖気は収納棚２に収納された商品を加温し、ダクト５を通り再度加温装置６へ戻り加温を繰り返す。
【００２５】
ここにおいて、加温ヒータ８に通電中に、自動販売機の電気的な故障等により、ファン４が停止した場合、加温ヒータ８への送風が停止するため、加温ヒータ８またはプレートフィン７表面から空気への熱伝導は自然対流のみとなるため悪化し、加温ヒータ８の表面温度は上昇する。
【００２６】
この時、万一冷却装置３から可燃性冷媒が収納室１に漏れて、収納室１が可燃性冷媒の燃焼範囲濃度に達した場合においても、加温装置６は放熱用のプレートフィン７を有しているためプレートフィン７の表面温度は可燃性冷媒の着火温度まで上昇しないので、加温装置６が着火源となって冷媒が発火することはありません。
【００２７】
よって万一、冷却装置から可燃性冷媒が漏れた場合においても、冷媒が発火することなく安全な自動販売機の冷却加温装置を提供することができる。
【００２８】
また、本実施の形態では、加温装置６を冷却装置３より上部に配置されているため、冷却装置３から可燃性冷媒が収納室１に漏れた場合においても、可燃性冷媒Ｒ６００、Ｒ２９０は空気より重いため収納室１の下部に溜まり、着火源の加温装置６まで到達しにくくなりより安全な自動販売機の冷却加温装置を提供することができる。
【００２９】
なお、ここでは加温装置６は放熱用のプレートフィン７を有しているが、加温装置６を冷却装置３より上部に配置することにより加温ヒータ８のみでも安全な自動販売機の冷却加温装置を提供することができる。
【００３０】
また、加温装置６をダクト５に収納することにより、商品収納効率が向上し、販売可能な商品数が増加し、商品収納に係わるコストを削減できる。
【００３１】
さらに、加温時にファン４を逆転させて暖気を循環させることも考えられる。これは、ファン４が正転時には、加温装置６から発生した熱は、冷却装置３を通過するときに、吸熱されて、熱エネルギーを奪われてしまうことが発生する。
【００３２】
しかし、ファン４を逆転させて暖気の循環方向を逆にすることで、加熱装置６で発生した熱は、直ぐ近くに配置されている収納棚２に収納されている商品を加温することができ、ファン４を正転した場合よりも効率よく商品を暖めることができる。
【００３３】
以上のように本実施の形態の自動販売機の冷却加温装置は、断熱性のよい収納室１と、販売される商品を冷却または加温保存する収納棚２と、収納室１の下部に収納棚２を冷却可能に配置され、プレートフィンに冷媒配管を挿入し構成された可燃性冷媒Ｒ６００またはＲ２９０を含む混合冷媒あるいは単一冷媒からなる可燃性冷媒を封入した冷却装置３と、収納棚２に収納されている商品を温度のバラツキなく冷却または加温する冷気または温気を循環させるファン４と、収納棚２の背面に配置され、ファン４の室内対流を促進させるダクト５と、放熱用のプレートフィン７にサーペンタイン状に曲げ加工した加温ヒータ８を挿入し構成される加温装置８とから構成されているので、自然対流となり、冷却装置３から可燃性冷媒が収納室１に漏れて、収納室１が可燃性冷媒の燃焼範囲濃度に達した場合においても、加温装置６は放熱用のプレートフィン７を有しているため加温装置６が着火源となって冷媒が発火することなく安全な自動販売機の冷却加温装置を提供することができる。
【００３４】
また、本実施の形態では、加温装置６を冷却装置３より上部に配置されているため、冷却装置３から可燃性冷媒が収納室１に漏れた場合においても、可燃性冷媒Ｒ６００、Ｒ２９０は空気より重いため収納室１の下部に溜まり、着火源の加温装置６まで到達しにくくなりより安全な自動販売機の冷却加温装置を提供することができる。
【００３５】
なお、ここでは加温装置６は放熱用のプレートフィン７を有しているが、加温装置６を冷却装置３より上部に配置することにより加温ヒータ８のみでも安全な自動販売機の冷却加温装置を提供することができる。
【００３６】
また、加温装置６をダクト５に収納することにより、商品収納効率が向上し、販売可能な商品数が増加し、商品収納に係わるコストを削減できる。
【００３７】
（実施の形態２）
以下、本発明による自動販売機の冷却加温装置の実施の形態２について、図面を参照しながら説明する。なお、実施の形態１と同一構成については同一符号を付して、詳細な説明を省略する。
【００３８】
図３は、本発明の実施の形態２による自動販売機の冷却加温装置の側面図である。
【００３９】
図３において、室内対流の方向に対し冷却装置３、ファン４、加温装置６の順に配置されている。
【００４０】
以上のように構成された自動販売機の冷却加温装置について図３でその動作を説明する。
【００４１】
収納棚２に収納された商品を加温する場合、加温ヒータ８に通電を行い、放熱用プレートフィン７にて放熱を行う加温装置５が加温運転を行う。ファン４によりダクト５より吸込んだ空気を加温装置６に送風し加温された暖気を循環させる。加温装置６により加温された温気により収納棚２に収納された商品を加温し、ダクト５を通り再度ファン４へ戻り送風を繰り返す。
【００４２】
ここにおいて、ファン４を加温装置６の風上側に配置することにより、加温装置６により加温された温気が直接影響しないため、ファン４の寿命を伸ばせることができる。
【００４３】
また、自動販売機の電気的な故障等により、ファン４が停止し、加温ヒータ８の表面温度が上昇し、冷却装置３から可燃性冷媒が収納室１に漏れて、収納室１が可燃性冷媒の燃焼範囲濃度に達した場合においても、加温装置６は放熱用のプレートフィン７を有しているためプレートフィン７の表面温度は可燃性冷媒の着火温度まで上昇しないので、加温装置６が着火源となって冷媒が発火することがない。
【００４４】
以上のように本実施の形態の自動販売機の冷却加温装置は、室内対流の方向に対し冷却装置３、ファン４、加温装置６の順に配置され、ファン４を加温装置６の風上側に配置することにより、加温装置６により加温された暖気が直接影響しないため、ファン４の寿命を伸ばせる自動販売機の冷却加温装置を提供することができる。
【００４５】
また、自動販売機の電気的な故障等により、ファン４が停止し、加温ヒータ８の表面温度が上昇し、冷却装置３から可燃性冷媒が収納室１に漏れて、収納室１が可燃性冷媒の燃焼範囲濃度に達した場合においても、加温装置６は放熱用のプレートフィン７を有しているため加温装置６が着火源となって冷媒が発火することなく安全な自動販売機の冷却加温装置を提供することができる。
【００４６】
（実施の形態３）
以下、本発明による自動販売機の冷却加温装置の実施の形態３について、図面を参照しながら説明する。なお、実施の形態１または２と同一構成については同一符号を付して、詳細な説明を省略する。
【００４７】
図４は、本発明の実施の形態３による自動販売機の冷却加温装置の側面図である。図５は、本発明の実施の形態３による冷却装置と加温装置の一体仕様の詳細図である。
【００４８】
図４、図５において、３ａは収納室１下部に収納棚２を冷却可能に配置されプレートフィン７ａに冷媒配管を挿入し構成された可燃性冷媒を含む混合冷媒あるいは単一冷媒からなる可燃性冷媒を封入した冷却装置である。６ａはプレートフィン７ａの一部にサーペンタイン状に曲げ加工した加温ヒータ８ａを挿入し構成される加温装置であり、冷却装置３ａとプレートフィン７ａにて一体となっている。９は制御部であり、冷却運転時のデフロスト制御時に加温装置６ａに通電を行う。１０は金属製のメッシュ部材であり加温装置８ａと冷却装置３ａを覆う構成となっている。
【００４９】
以上のように構成された自動販売機の冷却加温装置について図４，５でその動作を説明する。
【００５０】
収納棚２に収納された商品を冷却する場合、冷却装置３ａの冷却運転を行い、ファン４により冷却装置３ａで冷却された冷気を循環させる。ファン４により循環された冷気は収納棚２に収納された商品を冷却し、ダクト５を通り再度冷却装置３ａへ戻り冷却を繰り返す。また、デフロスト制御時には、制御部９により加温装置６ａに通電を行うと、加温装置６ａが冷却装置３ａとプレートフィン７ａで一体の構造となっていることで、熱伝導が良く冷却装置６ａのデフロストを確実に早く行うことができる。
【００５１】
収納棚２に収納された商品を加温する場合、加温ヒータ８ａに通電を行い、放熱用プレートフィン７ａにて放熱を行う加温装置６ａが加温運転を行う。ファン４により加温装置６ａで加温された温気を循環させる。ファン４により循環された温気は収納棚２に収納された商品を加温し、ダクト５を通り再度加温装置６ａへ戻り加温を繰り返す。
【００５２】
また、万一冷却装置３ａから可燃性冷媒が収納室１に漏れて、収納室１が可燃性冷媒の燃焼範囲濃度に達し、加温装置６ａにより発火した場合においても、金属製のメッシュ部材１０が加温装置６ａを覆っているため、火炎伝播を防止することができる。
【００５３】
ここにおいて、冷却装置３ａと加温装置６ａの放熱用プレートフィン７ａを一体化することにより、冷却運転時に加温ヒータ８ａの挿入部のプレートフィン７ａも放熱部として使用でき、加温運転時に冷却装置３ａのプレートフィン７ａも放熱部として使用することができ、さらに効率良く冷却加温運転を行える。
【００５４】
また、冷却運転中のデフロスト時に加温装置６ａの通電を制御部９により制御を行い、プレートフィン７ａにより加温ヒータ８ａの熱が均一に伝導しデフロストを確実に早く行える。
【００５５】
また、冷却装置３ａから可燃性冷媒が収納室１に漏れて、収納室１が可燃性冷媒の燃焼範囲濃度に達し、加温装置６ａにより発火した場合においても、金属製のメッシュ部材１０が加温装置６ａを覆っているため、火炎伝播を防止し、外部への影響を防止することができる。
【００５６】
また、自動販売機の電気的な故障等により、ファン４が停止し、加温ヒータ８ａの表面温度が上昇し、冷却装置３ａから可燃性冷媒が収納室１に漏れて、収納室１が可燃性冷媒の燃焼範囲濃度に達した場合においても、加温装置６ａは放熱用のプレートフィン７ａを有しているため、プレートフィン７の表面温度は可燃性冷媒の着火温度まで上昇しないので、加温装置６ａが着火源となって冷媒が発火することがない。
【００５７】
以上のように本実施の形態の自動販売機の冷却加温装置は、収納室１の下部に収納棚２を冷却可能に配置されプレートフィン７ａに冷媒配管を挿入し構成された可燃性冷媒を含む混合冷媒あるいは単一冷媒からなる可燃性冷媒を封入した冷却装置３ａと、プレートフィン７ａの一部にサーペンタイン状に曲げ加工した加温ヒータ８ａを挿入し構成され、冷却装置３ａとプレートフィン７ａにて一体となっている加温装置６ａと、冷却運転中のデフロスト制御時に加温装置６ａに通電を行う制御部９と、加温装置８ａと冷却装置３ａを覆う構成となっている金属製のメッシュ部材１０とから構成され、冷却装置３ａと加温装置６ａの放熱用プレートフィン７ａを一体化することにより、冷却運転及び加温運転の双方を効率良く冷却加温運転を行える。
【００５８】
また、冷却運転中のデフロスト時に加温装置６ａの通電を制御部９により制御を行い、プレートフィン７ａにより加温ヒータ８ａの熱が均一に伝導しデフロストを確実に早く行える。
【００５９】
また、冷却装置３ａから可燃性冷媒が収納室１に漏れて、収納室１が可燃性冷媒の燃焼範囲濃度に達し、加温装置６ａにより発火した場合においても、金属製のメッシュ部材１０により火炎伝播を防止し、外部への影響を防止する。
また、自動販売機の電気的な故障等により、ファン４が停止し、加温ヒータ８ａの表面温度が上昇し、冷却装置３ａから可燃性冷媒が収納室１に漏れて、収納室１が可燃性冷媒の燃焼範囲濃度に達した場合においても、加温装置６ａは放熱用のプレートフィン７ａを有しているため加温装置６ａが着火源となって冷媒が発火することを防ぐことができる。
【００６０】
【発明の効果】
以上説明したように本請求項１に記載の発明は、加温装置は放熱用のプレートフィンを有しているため、加温ヒータに通電中に自動販売機の電気的な故障等によりファンが停止し、加温ヒータの表面温度が最高に上昇した場合でも、表面温度が燃焼範囲濃度の発火温度に到達することなく冷媒が発火しない安全な自動販売機の冷却加温装置を提供することができる。
【００６１】
また、請求項２に記載の発明は、請求項１に記載の発明に加え、加温装置はサーペンタイン状に曲げ加工した加温ヒーターを他のプレートフィンに挿入したものであり、加温装置が小型化することができ、熱効率を向上させることができ、加温ヒータに通電中に自動販売機の電気的な故障等によりファンが停止し、加温ヒータの表面温度が最高に上昇した場合でも、表面温度が燃焼範囲濃度の発火温度に到達することなく冷媒が発火しない安全な自動販売機の冷却加温装置を提供することができる。
【００６２】
また、請求項３に記載の発明は、請求項１または請求項２に記載の発明に加え、加温装置を冷却装置より上部に配置したものであり、冷却加温装置の運転異常時などにおいて、ファンによる送風が停止し、加温装置が通電されているような場合においても、放熱効果により加温装置の表面温度が過度に上昇することはなくなる上に冷却装置より可燃性冷媒が漏洩した場合にもＲ６００、Ｒ２９０は空気より重いため収納室内の下部に溜まり、発火要因である加温装置に到達せず発火する可能性はさらに極めて低くすることができる。
【００６３】
また、請求項４に記載の発明は、請求項１から請求項３に記載の発明に加え、加温装置をダクトに収納することにより、冷却加温装置の運転異常時などにおいて、ファンによる送風が停止し、加温装置が通電されているような場合においても、放熱効果により加温装置の表面温度が過度に上昇することはなくなる上に冷却装置より可燃性冷媒が漏洩した場合にもＲ６００、Ｒ２９０は空気より重いため収納室内の下部に溜まり、発火要因である加温装置に到達せず発火する可能性は極めて低くなるとともに、ダクト内を有効活用することにより収納効果を上げることができる。
【００６４】
また、本請求項５に記載の発明は、加温装置を室内対流の方向に対してファンの後に配置し、加温装置の熱の影響を直接ファンに与えなくしたものであり、ファンの寿命を長くできるとともに、冷却加温装置の運転異常時などにおいて、ファンによる送風が停止し、加温装置が通電されているような場合においても、放熱効果により加温装置の表面温度が過度に上昇することはなく、可燃性冷媒が漏洩した場合にも発火する可能性は極めて低くなることができる。
【００６５】
また、本請求項６に記載の発明は、加温装置を同一のプレートフィンにて冷却装置と一体にしたものであり、冷却運転時には加温装置のプレートフィンを放熱板として有効活用でき、加温運転時には冷却装置のプレートフィンを有効活用できるとともに、冷却加温装置の運転異常時などにおいて、ファンによる送風が停止し、加温装置が通電されているような場合においても、冷却加温のプレートフィンの放熱効果により加温装置の表面温度が過度に上昇することはなく、可燃性冷媒が漏洩した場合にも発火する可能性は極めて低くすることができる。
【００６６】
また、本請求項７に記載の発明は、加温装置を同一のプレートフィンにて冷却装置と一体にしたものであり、このプレートフィンにサーペンタイン状に曲げ加工した加温ヒータを挿入し構成されることで、加温装置が小型化でき、熱効率が良くなることで冷却運転時には加温装置のプレートフィンを放熱板として有効活用でき、加温運転時には冷却装置のプレートフィンを有効活用できるとともに、冷却加温装置の運転異常時などにおいて、ファンによる送風が停止し、加温装置が通電されているような場合においても、冷却加温のプレートフィンの放熱効果により加温装置の表面温度が過度に上昇することはなく、可燃性冷媒が漏洩した場合にも発火する可能性は極めて低くすることができる。
【００６７】
また、請求項８に記載の発明は、請求項７に記載の発明に加え、加温装置を冷却運転時のデフロスト時に通電を行うようにしたものであり、可燃性冷媒が漏洩した場合にも発火する可能性は極めて低くなるとともに、デフロストを早く確実に行うことができる。
【００６８】
また、請求項９に記載の発明は、請求項１から８に記載の発明に加え、金属製のメッシュ部材により加温装置を覆うことにより、冷却装置から可燃性冷媒が大量に漏洩した場合に発火しても外部に火炎伝播するのを防止し、外部発火を防止することができる。
【図面の簡単な説明】
【図１】本発明による自動販売機の冷却加温装置の実施の形態１の側面図
【図２】同実施の形態の加温装置の詳細図
【図３】本発明による自動販売機の冷却加温装置の実施の形態２の側面図
【図４】本発明による自動販売機の冷却加温装置の実施の形態３の側面図
【図５】同実施の形態の冷却加温装置一体の詳細図
【符号の説明】
１　収納室
２　収納棚
３、３ａ　冷却装置
４　ファン
５　ダクト
６、６ａ　加温装置
７，７ａ　プレートフィン
８，８ａ　加温ヒータ
９　制御部
１０　メッシュ部材
【図１】
2004038732.tif 000003
【図２】
2004038732.tif 000004
【図３】
2004038732.tif 000005
【図４】
2004038732.tif 000006
【図５】
2004038732.tif 000007